(57)【要約】      （修正有）【課題】失禁のおそれのある者や寝たきりの人に装着して使用される衛生的で着用者に快適な着用感が与えられる使い捨ておむつを提供する。【解決手段】中央部が両端部より幅狭で鼓の縦断面形状をした液不透過性シートでなる外装部、又はあらかじめパンツ状に形成された外装部と、該外装部の内面側に一体化して配設された液吸収体を内包する長方形状の液吸収部とでなるおむつ本体と、該おむつ本体の液吸収部に着脱自在に着装して使用する液吸収体を内包し、着用者の局部に当接する位置に貫通孔を設けた長方形状の尿吸収パットとで構成されてなる使い捨ておむつである。【選択図】図１
0003143456.tif 000002
【実用新案登録請求の範囲】
【請求項１】
失禁のおそれのある者や失禁の常習者に装着して使用される使い捨ておむつ１であって、中央部が両端部より幅狭で鼓の縦断面形状をした液不透過性シートでなる外装部２と、該外装部２の内面側に一体化して配設された液吸収体５を内包する長方形状の液吸収部３とでなるおむつ本体と、該おむつ本体の液吸収部３に着脱自在に着装して使用する、液吸収体５’を内包し着用者の局部に当接する位置に貫通孔７を設けた長方形状の尿吸収パッド４とで構成され、
かつ前記外装部２の両端の幅広の部分の両側端に、おむつ装着時に前記外装部２の両端の幅広の部分を着用者の腰回りで係止する面ファスナーなどの係止機構６を備えてなることを特徴とする使い捨ておむつ。
【請求項２】
失禁のおそれのある者や失禁の常習者に装着して使用する使い捨ておむつ１であって、液不透過性素材によってあらかじめパンツ状に形成された外装部２’と、該外装部２’の内面側に一体化して配設された液吸収体５を内包する長方形状の液吸収部３でなるおむつ本体と、該おむつ本体の液吸収部３に着脱自在に着装して使用する、液吸収体５’を内包し着用者の局部に当接する位置に貫通孔７を設けた長方形状の尿吸収パッド４とで構成されてなることを特徴とする使い捨ておむつ。
【請求項３】
前記液吸収体５を内包するおむつ本体の液吸収部３、及び液吸収体５’を内包する尿吸収パッド４が、液吸収体５、５’を液透過性布で被包してなるものであることを特徴とする請求項１又は２に記載の使い捨ておむつ。
【請求項４】
前記尿吸収パッド４の液吸収体５’が、前記おむつ本体の液吸収部３と接する面、及び前記貫通孔７の壁面の一部又は全部を液不透過性布８で、身体に接触する面を液透過性布によって被包されてなることを特徴とする請求項１又は２に記載の使い捨ておむつ。
【請求項５】
前記おむつ本体の液吸収部３が、該液吸収部３に着装される尿吸収パッド４の貫通孔７の臀部側端面に相当する位置から後方の、着用者の臀部に装着される部分を液不透過性布１２で被装されてなることを特徴とする請求項１、２又は４のいずれか１項に記載の使い捨ておむつ。
【請求項６】
前記尿吸収パッド４が、その長辺側の側端部、又は全周辺端部に、前記おむつ本体の液吸収部３に着脱自在に係止できるパッド係止手段９を複数個備えてなることを特徴とする請求項１〜５のいずれか１項に記載の使い捨ておむつ。
【請求項７】
前記おむつ本体の液吸収部３、及び尿吸収パッド４が、着用者の肌に接触する面の両長辺部、又は全周辺部に液不透過性布でなる尿漏れ防止用のギャザー部１０、１１を備えてなることを特徴とする請求項１〜６のいずれか１項に記載の使い捨ておむつ。
【請求項８】
前記尿吸収パッド４を、２枚、又はそれ以上重ねて使用し得ることを特徴とする請求項１〜７のいずれか１項に記載の使い捨ておむつ。
【請求項９】
前記尿吸収パッド４の貫通孔７が、円形、楕円形状、長方形又は菱形のいずれかの形状で穿孔されていることを特徴とする請求項１〜８のいずれか１項に記載の型使い捨ておむつ。
【考案の詳細な説明】
【技術分野】
【０００１】
本発明は、失禁のおそれのある者や失禁の常習者が快適に使用できる使い捨ておむつに関する。
【背景技術】
【０００２】
高齢化社会の到来により、寝たきり老人や要介護者が増え失禁への対応が課題となり、使い捨ておむつに関する発明や考案が見られるようになってきている。
これまでに見られる使い捨ておむつは、使い捨ておむつ本体と、尿吸収パッドとを組み合わせて使用するようにしたものが多く、前記使い捨ておむつ本体は液不透過性シートでなる外装部と、外装部の内面側に配設され液吸収体を液透過性布で被包した長方形状の液吸収部とからなり、そして前記液吸収部に着脱自在に着装する尿吸収パッドには、液吸収体を液透過性布で被包した長方形状のものが用いられている。
【０００３】
前記尿吸収パッドは、睡眠時や昼間の行動時に極少量の失禁を来すおそれのある人に単独で使用される場合がある。このため、尿吸収パッドは、単独で使用する人にも配慮し、また尿吸収パッドの使用感をできるだけ和らげ、そしておむつ本体に容易に着装できるように、比較的小形に作られている。したがって、尿吸収パッドが有する液吸収体の量も少なく、おむつ本体の液吸収部の尿吸収量に比べてその尿吸収量は少ない。
【０００４】
したがって、前記尿吸収パッドをおむつ本体に着装して使用する場合でも、夜間就寝時など長時間着用すれば、失禁回数も増え、その結果、排泄された尿が尿吸収パッドの液吸収体の吸収量を超えて溢れ出てしまうことになる。
【０００５】
前記尿吸収パッドのおむつ本体の液吸収部と接する面には、液不透過性の不織布（バックシート）が被覆され、またその長辺側の両側端にはやはり液不透過性の不織布のギャザー部が備えられているため、溢れ出た尿は、就寝時に上になる腹部側からはおしめ本体の液吸収部に漏れ出しにくく、臀部側から前記液吸収部に滲出することになるが、臀部側の液吸収部の液吸収体は体重によって圧迫されており、その吸収力を十分発揮し得ない状態にある。
したがって尿吸収パッドの尿吸収能力を超えた分の尿が長時間着用者の肌に触れて不快を感じることにつながっている。
【０００６】
これを改善するため、特許文献１には「尿取りパッドの液不透過性のバックシートに開口部を形成しておき、通常はこの開口部を被覆シートで塞いでおく。被覆シートで塞いだ状態でおむつに設置すると、１回または２回程度の尿失禁に対応できる。夜間などでは被覆シートを剥がし、開口部を開口させた状態でおむつに設置する。このとき、尿取りパッドの吸収コアで吸収しきれなかった尿は開口部からおむつの吸収体へ与えられて吸収される。したがって尿失禁回数が多い場合でも、おむつの側方への尿が漏れるのを防止できる。」吸収性物品の発明が開示されている。
【０００７】
また特許文献２には「全体が一方向に長い形状を有しており、液体の透過を防止するバックシートと、身体に接触する面側に配置される液体透過性の表面材との間に配置されて前記表面材を透過した液体を吸収して保持する吸収体を有しており、前記バックシートが、前記吸収体を露出する開口を形成するための開口形成手段を備える。」失禁パッドが開示されている。
【特許文献１】特開平１１−３３２８９９号公報
【特許文献２】特開２００３−１０２２３号公報
【考案の開示】
【考案が解決しようとする課題】
【０００８】
しかし、上記特許文献１及び特許文献２のいずれもが、尿取りパッド又は失禁パッド（本願考案の尿吸収パッドと同機能を持つので以下尿吸収パッドと記す）が最初に尿を吸収し、尿吸収パッドの尿吸収量が飽和状態になってから溢れた尿を順次バックシートの開口部を通過させておむつ本体の液吸収部に吸収させる方式のため、開口部の大きさによっては、例えば１回の失禁量が多かったり、尿失禁が頻繁でその回数が多かったりする場合には、排泄された尿に対して開口部通過する尿の量が間に合わず、尿吸収パッドの両側端から尿が溢れ出してしまうおそれがあった。
また、着用者の肌に尿を吸収した尿吸収パッドが長時間触れることになり、着用者が不快を感じるばかりでなく、不衛生な状態が続いて肌に湿疹等の障害を生じさせるおそれもあった。
本願考案は、上記の諸問題に鑑み、衛生的で着用者に快適な着用感が与えられる使い捨ておむつを提供しようとするものである。
【課題を解決するための手段】
【０００９】
本願考案者は、鋭意研究を重ね、かつ介護実施の経験から得た次の手段により上記課題を解決した。
（１）失禁のおそれのある者や失禁の常習者に装着して使用される使い捨ておむつであって、中央部が両端部より幅狭で鼓の縦断面形状をした液不透過性シートでなる外装部と、該外装部の内面側に一体化して配設された液吸収体を内包する長方形状の液吸収部とでなるおむつ本体と、該おむつ本体の液吸収部に着脱自在に着装して使用する、液吸収体を内包し着用者の局部に当接する位置に貫通孔を設けた長方形状の尿吸収パッドとで構成され、
かつ前記外装部の両端の幅広の部分の両側端に、おむつ装着時に前記外装部の両端の幅広の部分を着用者の腰回りで係止する面ファスナーなどの係止機構を備えてなることを特徴とする使い捨ておむつ。
【００１０】
（２）失禁のおそれのある者や失禁の常習者に装着して使用する使い捨ておむつであって、液不透過性素材によってあらかじめパンツ状に形成された外装部と、該外装部の内面側に一体化して配設された液吸収体を内包する長方形状の液吸収部とでなるおむつ本体と、該おむつ本体の液吸収部に着脱自在に着装して使用する、液吸収体を内包し着用者の局部に当接する位置に貫通孔を設けた長方形状の尿吸収パッドとで構成されてなることを特徴とする使い捨ておむつ。
【００１１】
（３）前記液吸収体を内包するおむつ本体の液吸収部、及び液吸収体を内包する尿吸収パッドが、液吸収体を液透過性布で被包してなるものであることを特徴とする前項（１）又は（２）に記載の使い捨ておむつ。
【００１２】
（４）前記尿吸収パッドの液吸収体が、前記おむつ本体の液吸収部と接する面、及び前記貫通孔の壁面の一部又は全部が液不透過性布で、身体に接触する面が液透過性布によって被包されてなることを特徴とする前項（１）又は（２）に記載の使い捨ておむつ。
【００１３】
（５）前記おむつ本体の液吸収部が、該液吸収部に着装される尿吸収パッドの貫通孔の臀部側端面に相当する位置から後方の、着用者の臀部に装着される部分を液不透過性布で被装されてなることを特徴とする前項（１）、（２）又は（４）のいずれか１項に記載の使い捨ておむつ。
【００１４】
（６）前記尿吸収パッドが、その長辺側の側端部、又は全周辺端部に、前記おむつ本体の液吸収部に着脱自在に係止できるパッド係止手段を複数個備えてなることを特徴とする前項（１）〜（５）のいずれか１項に記載の使い捨ておむつ。
【００１５】
（７）前記おむつ本体の液吸収部、及び尿吸収パッドが、着用者の肌に接触する面の両長辺部、又は全周辺部に液不透過性布でなる尿漏れ防止用のギャザー部を備えてなることを特徴とする前項（１）〜（６）のいずれか１項に記載の使い捨ておむつ。
【００１６】
（８）前記尿吸収パッドを、２枚、又はそれ以上重ねて使用し得ることを特徴とする前項（１）〜（７）のいずれか１項に記載の使い捨ておむつ。
【００１７】
（９）前記尿吸収パッドの貫通孔が、円形、楕円形状、長方形又は菱形のいずれかの形状で穿孔されていることを特徴とする前項（１）〜（８）のいずれか１項に記載の型使い捨ておむつ。
【考案の効果】
【００１８】
本願考案の型使い捨ておむつによれば、次のような効果が発揮される。
〈１〉請求項１及び請求項２の考案によれば、
液不透過性シートでなる外装部、又は液不透過性素材によってあらかじめパンツ状に形成された外装部と、該外装部の内面側に一体化して配設された液吸収体を内包する長方形状の液吸収部とでなるおむつ本体と、該おむつ本体の液吸収部に着脱自在に着装して使用する液吸収体を内包し、着用者の局部に当接する位置に貫通孔を設けた長方形状の尿吸収パッドとで構成されているので、
失禁時の排泄尿は、前記尿吸収パッドの貫通孔を通過してまず前記おむつ本体の液吸収部に吸収され、該液吸収部の吸収容量を超えて尿が吸収された後に前記尿吸収パッドに尿を吸収させるので、従来の尿吸収パッドにまず尿を吸収しその後に尿吸収パッドのバックシートに設けた開口部を介しておむつ本体の液吸収部に尿を吸収させるとしたものに比べて尿吸収量が多く、１回の失禁量が多かったり、失禁が頻繁でその回数が多かったりする場合でも液吸収シート及び尿吸収パッドの側面から尿が溢れ出すのを防止できる。
【００１９】
また、前記液吸収部に尿が十分吸収された後でないと尿吸収パッドの液吸収体への尿の吸収が行われないので、尿吸収パッドは乾燥状態が長時間保持され、着用者の肌は長時間にわたって清潔に保たれ、湿疹などの発生のおそれがなく、快適な着用感が得られる。
さらに、尿失禁が頻繁でその回数が多い場合でも長時間尿吸収パッドを交換しなくてもすみ、夜間の交換回数が激減して介護現場の人たちを過労状態から解放できる。
【００２０】
そして尿吸収パッドの貫通孔に、前記特許文献１や特許文献２の発明に見られるようなバックシートの開口部を遮蔽する被覆シート、又は剥離用シート等を使用していないので、おむつ交換時に前記開口部に遮蔽シート又は剥離シートを剥離し忘れて尿漏れが生じることを未然に防止でき、かつ被覆シート、又は剥離用シートを準備したり、貼り付けたりする材料費、加工費を必要としないため低コスト化が図れる
【００２１】
〈２〉また請求項１の考案によれば、前記効果〈１〉に加えて、
おむつ本体の外装部が、中央部が両端部より幅狭な鼓の縦断面形状をした液不透過性シートでなり、かつ前記外装部の幅広部分の両側端に、おむつ装着時に前記外装部の両端の幅広の部分を腰回りで係止する面ファスナーなどの係止機構を備えてなるので、前記中央部の幅狭の部分を股間に当て両端の幅広部分で臀部及び下腹部を覆った後、前記両端部を前記係止機構によって係止すればよく、おむつを自力で装着できない寝たきりの人等への介護者による装着や交換が比較的容易にできる。
【００２２】
〈３〉そして請求項２の考案によれば、前記効果〈１〉に加えて、
使い捨ておむつの外装部が、液不透過性素材によってあらかじめパンツ状に形成されているので、自力で装着可能な人にとっては、請求項１に記載のパンツ型使い捨ておむつのように臀部及び下腹部を覆った後におむつの両端部を係止機構によって係止する必要がなく、尿吸収パッドを着装するだけで使用でき、昼間活動中に着用しても、着用中に前記パッド係止手段が解けて脱落する心配がなく、安心して使用できる。
【００２３】
〈４〉請求項３の考案によれば
前記おむつ本体の液吸収部、及び尿吸収パッドが、液吸収体を液透過性布で被包してなるものであるので、液吸収体が着用者の肌に直接触れることがなく、肌には布の柔らかな感触が伝わり、快適な着用感が得られる。
【００２４】
〈５〉請求項４の考案によれば、
前記尿吸収パッドの液吸収体が、前記おむつ本体の液吸収部と接する面、及び前記貫通孔の壁面の一部又は全部が液不透過性布で、身体に接触する面が液透過性布によって被包されているので、上向きに寝ている状態で失禁し、前記液吸収部に尿が多く吸収された場合でも、前記液吸収部から尿吸収パッドへの尿が浸透することがなく、着用者の肌に触れる尿吸収パッド面は乾いた状態を長時間維持でき、快適な着用感を長時間にわたって得ることができる。
さらに、前記尿吸収パッドの貫通孔の壁面の一部、又は全部が、液不透過シートで被覆されているので、局部が多少前記液吸収部のから離れていても、尿吸収パッドの液吸収体に貫通孔から尿が吸収される機会は極めて少なく、着用者の肌に触れる尿吸収パッド面は乾いた状態を長時間維持でき、快適な着用感が長時間にわたって得られる。
そして、失禁が頻繁でその回数が多い場合でも、長時間おむつの交換をしなくてすみ、夜間の交換回数が激減して介護現場の人たちを過労状態から解放できる。
【００２５】
〈６〉請求項５の考案によれば、
前記液吸収部が、該液吸収部に着装される尿吸収パッドの貫通孔の臀部側端面に相当する位置から後方の着用者の臀部に装着される部分に液不透過性布が被装されているので、前記液吸収部と接する面が液不透過布で被装されていない尿吸収パッドを使用しても、前記液吸収部から尿吸収パッドへの尿浸透機会は極めて少なく、着用者の肌に触れる尿吸収パッド面は乾いた状態を長時間維持でき、快適な着用感が長時間にわたって得られる。
【００２６】
〈７〉請求項６の発明によれば、
前記尿吸収パッドが、その長辺側の側端部、又は全周辺部に、前記おむつ本体の液吸収部に着脱自在に係止できるパッド係止手段を複数個備えているので、昼間の歩行や夜間の就寝時の寝返りなど身体の動きがあっても尿吸収パッドの位置ずれが生ぜず、前記尿吸収パッドの貫通孔は着用者の局部から外れることなく常に適正な位置を保持できる。
【００２７】
〈９〉請求項７の発明によれば、
前記おむつ本体の液吸収部、及び尿吸収パッドが、着用者の肌に接触する面の両長辺部、又は全周辺部に液不透過性布でなる尿漏れ防止用のギャザー部を備えてなるので、就寝時等に失禁が頻繁に起こりその回数が多くなったり、急に多量の失禁がなされたりなどして尿が尿吸収パッドの周辺部にまで達した場合でも、両長辺部に備えた液不透過性布によるギャザー部によって横漏れの発生が防止できる。
また、全周辺部に備えられた液不透過性布によるギャザー部によって、上を向いての就寝時に背中方向への尿漏れも防止できる。
【００２８】
〈１０〉請求項８の発明によれば、
前記尿吸収パッドを、２枚、又はそれ以上重ねて使用し得るので、例えば、尿吸収パッドを２枚重ねて使用すれば、排泄された尿が前記液吸収部→１枚目の尿吸収パッド→２枚目の尿吸収パッドの順で浸透していくので、尿失禁回数や量が多い場合でも長時間おむつを交換しなくてよく、夜間の交換回数が激減して介護する現場の人たちを過労状態から解放することができる。
そして、２枚目の尿吸収パッドにまで尿が浸透する機会は尿吸収パッド１枚を使用した場合よりさらに少なくなり、着用者の肌に触れる尿吸収パッド面は乾いた状態をより長時間維持でき、快適な着用感をより長時間得続けることができる。
【００２９】
〈１１〉請求項９の考案によれば、
前記尿吸収パッドの貫通孔が、円形、楕円形状、長方形又は菱形のいずれかの形状で穿孔されているので、着用者の体型や性別によって尿吸収パッドをその貫通孔の形状を選択して使用すればよく、おむつ本体は共通に使用でき、量産化による低価格化が期待できる。
【考案を実施するための最良の形態】
【００３０】
本願考案を実施するための最良の形態を図を用いて詳細に説明する。
図１（ａ）は本願考案の使い捨ておむつの第１実施例の正面図、図１（ｂ）は図１（ａ）に示すＡ−Ａ’線における断面形状図、図２（ａ）は本願考案の使い捨ておむつの第２実施例の正面図、図２（ｂ）は図２（ａ）に示すＢ−Ｂ’線における断面形状図、図３は図１（ａ）又は図２（ａ）に示す使い捨ておおむつの着用形態の斜視図、図４（ａ）は本願考案の使い捨ておむつの第３の実施例の上面図、図４（ｂ）は図４（ａ）におけるＣ−Ｃ’縦断面図である。
図において１は使い捨ておむつ、２は鼓の縦断面形状の外装部、２ａは腹部側端部、２ｂは臀部側端部、２ｃは中央部、２’はパンツ形状の外装部、３は液吸収部、４は尿吸収パッド、５、５’は液吸収体、６は係止機構、７は貫通孔、８は液不透過性布、９はパッド係止手段、１０、１１はギャザー部、１２は液吸収部の臀部側に被装された液不透過性布、２０は脚口を示す。
【実施例１】
【００３１】
本願考案使い捨ておむつ１の第１の実施例は、図１（ａ）（ｂ）に示すように、中央部２ｃが腹部側端部２ａ、臀部側端部２ｂより幅狭で鼓の縦断面形状をした液不透過性シートでなる外装部２と、該外装部２の内面側に一体化して配設された、液吸収体５を内包する長方形状の液吸収部３とでなるおむつ本体と、該おむつ本体の液吸収部３に着脱自在に着装して使用する液吸収体５’を内包し、着用者の局部に当接する位置に貫通孔７を設けた長方形状の尿吸収パッド４とで構成され、
かつ前記外装部２の腹部側端部２ａの外面側端と臀部側端部２ｂの内面側端に、おむつ装着時に両端部２ａ、２ｂの側端を腰回りで係止する面ファスナーなどの係止機構６を備えてなり、
着用に当たっては前記中央部２ｃの幅狭の部分を股間に当て、図１（ａ）において上方に示した幅広な腹部側端部２ａで下腹部を覆い、下方に示した幅広な臀部側端部２ｂで臀部を覆った後、前記両端部２ａ、２ｂの側端を前記係止機構６によって係止して図３に示すようにパンツ状にする。
【００３２】
着用した本実施例１の使い捨ておむつにおいては、前記尿吸収パッド４が、着用者の局部に当接する位置に貫通孔７を有しているので、失禁時に局部から排泄された尿は、前記尿吸収パッド４の貫通孔７を通過してまず前記液吸収部３の液吸収体５に吸収され、該液吸収部３の液吸収体５のその吸収可能容量を超えた後に前記尿吸収パッド４の液吸収体５’に吸収されることになる。
【００３３】
前記尿吸収パッド４の液吸収体５’は着用者の肌に触れる面を液透過性布で被装されているが、前記おむつ本体の液吸収部３と接する面、及び前記貫通孔７の壁面の一部、又は全面を液不透過布８で被覆されているので、排泄液は貫通孔７壁面の液不透過性布８に遮られて尿吸収パッド４内の液吸収体５’には浸透しにくく、排泄尿のほとんどは前記液吸収部３に内包された液吸収体５に吸収される。
【００３４】
したがって、着用者の局部が液吸収部３から多少離れていても、貫通孔７から尿吸収パッド４の液吸収体５’に尿が浸透する機会は極めて少なく、尿吸収パッド４の肌が接する面は乾いた状態を長時間維持でき、着用者は快適性を長時間にわたって得られる。
【００３５】
また、前記尿吸収パッド４が、長辺端部、又は周辺部の複数箇所（本実施例では８箇所）に前記液吸収部３に尿吸収パッド４を係止するためのパッド係止手段９を備えていて、昼間の歩行、夜間の就寝時の寝返りなど身体の動きがあっても尿吸収パッド４の位置がずれを起こすことなく、貫通孔７が着用者の局部から外れることなく常に適正な位置を保持される。
【００３６】
さらに、前記液吸収部３には、その長辺側両端部に液不透過性布によるギャザー部１０が備えられているので、失禁回数が多かったり、急に多量の失禁があったりして、尿が液吸収部３の周辺部に達しても前記液吸収部３の側端からの横漏れを防止できる。
【００３７】
同様に、前記尿吸収パッド４にも、身体との接触面側で長辺側両端部に液不透過性布によるギャザー部１１が備えられているので、尿失禁回数が多かったり、急に多量の失禁があったりした場合でも、尿吸収パッド４の側端からの尿の横漏れを防止することができる。
また、前記尿吸収パッド４の全周囲端部に液不透過性布によるギャザー部１１を配設して、仰臥睡眠時に生じる背中方向への尿漏れを防止するようにしておくことが好ましい。
【００３８】
本実施例では、前記尿吸収パッド４の貫通孔７を男女で共用できるように縦長の菱形形状として図示したが、これに限定されることなく、円形状、楕円形状、長方形状の貫通孔７としてもよい。
【００３９】
着用者が、就寝時等に尿失禁回数が多かったり、１度に多量の尿失禁が予想される場合は、前記尿吸収パッド４を２枚、又はそれ以上重ねて使用することが好ましい。
【実施例２】
【００４０】
本願考案使い捨ておむつ１の第２の実施例は、図２（ａ）（ｂ）に示すように、前記おむつ本体の外装部２の内面側に一体化して配設された液吸収部３が、該液吸収部３に着脱自在に着装される尿吸収パッドの貫通孔７の臀部側端に相当する位置から後方の、着用者の臀部に装着される部分に液不透過性布１２が被装されて、仰臥時に排泄され前記液吸収部３の臀部側に内包された液吸収体５に集中して吸収された尿がおむつ本体の内側に漏出しないよう構成されているので、 前記液吸収部３と接する面が液不透過布８で被覆されていない尿吸収パッド４を使用しても尿吸収パッド４の液吸収体５’に尿が浸透する機会は少なく、肌が接する面は乾いた状態を長時間維持できるため、快適な着用感が長時間にわたって得られる。
【００４１】
本実施例は、寝たきりのおむつ着用者のために考案されたものであり、図２では貫通孔７の壁面が液不透過布８で被装されていない場合を示した。したがって、液不透過性布１２が被装された液吸収部３の臀部側の液吸収体５に尿が吸収された後に排泄された尿は、尿吸収パッド４の液吸収体５’に吸収されやすくなる。
なお、前記尿吸収パッド４に、貫通孔７の壁面が液不透過性布８で被覆されたものを使用するのを妨げるものではない。
その他の構成、機能、着用方法等については実施例１に準ずる。
【実施例３】
【００４２】
本願考案使い捨ておむつ１の第３の実施例は、図４（ａ）（ｂ）に示すように、液不透過性素材によってあらかじめパンツ状に形成された外装部２’と、該外装部２’の内面側に一体化して配設された液吸収体５を内包する長方形状の液吸収部３とでなるおむつ本体と、該おむつ本体の液吸収部３に着脱自在に着装して使用する、液吸収体５’を内包し着用者の局部に当接する位置に貫通孔７を設けた長方形状の尿吸収パッド４とで構成されており、自力で装着可能な人にとっては、実施例１に示した使い捨ておむつ１のように臀部及び下腹部を覆った後におむつの両端部を係止機構６によって係止する必要がなく、尿吸収パッド４を着装するだけで使用でき、昼間活動中に着用しても、着用中に前記係止機構６が解けておむつが脱落する心配がなく、安心して使用できるものとなっている。
本実施例の使い捨ておむつ１は、そのおむつ本体があらかじめパンツ状に形成されてなる以外は、その構成、機能については実施例１又は実施例２に準ずる。
【産業上の利用可能性】
【００４３】
本願考案の使い捨ておむつが、おむつ本体の液吸収部３が最初に尿を吸収し、前記液吸収部３が飽和状態になってから順次尿吸収パッド４に吸収させる方式のため、従来品に比較して尿の吸収量が多く、したがって液吸収シート及び尿吸収パッドの両側面側から尿が溢れ出すのを防止でき、かつ夜間就寝時のおむつ交換作業が激減し、介護者は激務から解放される。また、１回の失禁量が多かったり、尿失禁回数が多い場合でも、着用者の尿吸収パッド４に接する肌は衛生的な乾燥状態が長時間続き、快適な使用感が長時間にわたって得られ、さらには湿疹等肌に支障を来すおそれもなくなる。
【図面の簡単な説明】
【００４４】
【図１】（ａ）本願考案の使い捨ておむつの第１実施例の正面図、（ｂ）Ａ−Ａ’線における断面形状図
【図２】（ａ）本願考案の使い捨ておむつの第２実施例の正面図、（ｂ）Ｂ−Ｂ’線における断面形状図
【図３】図１（ａ）又は図２（ａ）に示す使い捨ておむつの着用形態の斜視図
【図４】（ａ）本願考案の使い捨ておむつの第３の実施例の上面図、（ｂ）Ｃ−Ｃ’縦断面図
【符号の説明】
【００４５】
１：使い捨ておむつ
２：鼓の縦断面形状の外装部
２ａ：腹部側端部
２ｂ：臀部側端部
２ｃ：中央部
２’：パンツ形状の外装部
３：液吸収部
４：尿吸収パッド
５、５’：液吸収体
６：係止機構
７：貫通孔
８：液不透過性布
９：パッド係止手段
１０、１１：ギャザー部
１２：液吸収部の臀部側に被装された液不透過性布
２０：脚口
【図１】
0003143456.tif 000003
【図２】
0003143456.tif 000004
【図３】
0003143456.tif 000005
【図４】
0003143456.tif 000006